(57)【要約】【課題】携帯電話等の無線機器とヘッドマウントディスプレイを組み合わせることにより、無線機器の電池の容量が小さいという問題を解消する。【解決手段】ヘッドマウントディスプレイ１は、無線機器である携帯電話７と、ケーブル８を介して接続可能となっており、これらの接続がなされたとき、ヘッドマウントディスプレイ１の電源装置（図示せず）より、携帯電話７に電源が供給されるようになっている。この例の場合、ヘッドホーンハウジング２にコネクタ等の接続部が設けられ、これとケーブル８とが接続されるようになっている。一般に、ヘッドマウントディスプレイ１の大きさは携帯電話７の大きさに比べて大きく、より大きな電源容量を有する電源装置を搭載することができる。よって、ヘッドマウントディスプレイ１から携帯電話７に電源を供給することにより、携帯電話７の電源容量が小さいという問題を解決することができる。【選択図】  図１
2008028552.tif 000002
【特許請求の範囲】
【請求項１】
頭部に装着して映像を使用者の眼に投影することによって表示する表示装置であって、外部の機器と接続することによって情報を交換する接続部を持ち、当該接続部によって、無線により情報を交換する無線機器と接続され、当該該表示装置が前記無線機器と接続された場合に、前記接続部を介して前記無線機器に電力を供給する機能を有することを特徴とする表示装置。
【請求項２】
請求項１に記載の表示装置であって、前記無線機器を接続した場合に、前記無線機器の操作部材の少なくとも一部によって、当該表示装置を操作することが可能とされていることを特徴とする表示装置。
【請求項３】
請求項１又は請求項２に記載の表示装置であって、前記無線機器は表示部を有し、前記無線機器を接続した場合に、前記無線機器の表示部に表示されるべき映像を、当該表示装置が有する表示部に表示可能とされていることを特徴とする表示装置。
【請求項４】
請求項１から請求項３のうちいずれか１項に記載の表示装置であって、前記無線機器を前記接続部に接続した状態で、前記無線機器を当該表示装置に固定する固定部を持ち、当該固定部は、当該表示装置が有する表示部が取り付けられている部位とは、使用者の頭部を挟んで反対側にあることを特徴とする表示装置。
【請求項５】
請求項１から請求項４のうちいずれか１項に記載の表示装置であって、映像を使用者の眼に投影している状態としていない状態とを判別し、前記判別結果に伴って、前記無線機器の動作に変化を与える機能を有することを特徴とする表示装置。
【請求項６】
請求項５に記載の表示装置であって、前記無線機器の動作の変化には、電源切断、電源投入、省電力モードへの移行、省電力モードからの復帰、前記無線機器の表示部の映像信号の出力開始、前記無線機器の表示部の映像信号の出力停止、の少なくとも一つが含まれることを特徴とする表示装置。
【請求項７】
請求項１に記載の表示装置であって、当該表示装置が有する電力供給源の容量は、前記無線機器が有する電力供給源の容量よりも大容量であることを特徴とする表示装置。
【発明の詳細な説明】
【技術分野】
【０００１】
本発明は表示装置に関するものである。
【背景技術】
【０００２】
情報の交換を目的として広く利用されている携帯電話は、近年テレビの受信機能を持つなど情報交換にとどまらず広い目的で使用されるようになってきている。一方、近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ヘッドマウントディスプレイと呼ばれている。このようなヘッドマウントディスプレイの例は、例えばＷＯ２００４／０６１５１９Ａ１公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。
【特許文献１】ＷＯ２００４／０６１５１９Ａ１公報
【発明の開示】
【発明が解決しようとする課題】
【０００４】
携帯電話は、手に持って使用する装置であるため、あまり大容量のバッテリを使用することができず、電池切れで、いざというときに通話ができなくなるという問題がある。また表示画面が小さいため、テレビ放送などをみても細かいところまで絵が見えないという問題も抱えている。
【０００５】
本発明はこのような事情に鑑みてなされたもので、携帯電話等の無線機器とヘッドマウントディスプレイを組み合わせることにより、無線機器の電池の容量の問題や画面が小さいという問題を解消することを課題とする。なお、本明細書及び特許請求の範囲において「無線機器」とは、手で持って使用する機器であって、無線により外部との信号のやりとりを行う機器を言う。
【課題を解決するための手段】
【０００６】
前記課題を解決するための第１の手段は、頭部に装着して映像を使用者の眼に投影することによって表示する表示装置であって、外部の機器と接続することによって情報を交換する接続部を持ち、当該接続部によって、無線により情報を交換する無線機器と接続され、当該該表示装置が前記無線機器と接続された場合に、前記接続部を介して前記無線機器に電力を供給する機能を有することを特徴とする表示装置である。
【０００７】
前記課題を解決するための第２の手段は、前記第１の手段であって、前記無線機器を接続した場合に、前記無線機器の操作部材の少なくとも一部によって、当該表示装置を操作することが可能とされていることを特徴とするものである。
【０００８】
前記課題を解決するための第３の手段は、前記第１の手段又は第２の手段であって、前記無線機器は表示部を有し、前記無線機器を接続した場合に、前記無線機器の表示部に表示されるべき映像を、当該表示装置が有する表示部に表示可能とされていることを特徴とするものである。
【０００９】
前記課題を解決するための第４の手段は、前記第１の手段から第３の手段のいずれかであって、前記無線機器を前記接続部に接続した状態で、前記無線機器を当該表示装置に固定する固定部を持ち、当該固定部は、当該表示装置が有する表示部が取り付けられている部位とは、使用者の頭部を挟んで反対側にあることを特徴とするものである。
【００１０】
前記課題を解決するための第５の手段は、前記第１の手段から第４の手段のいずれかであって、映像を使用者の眼に投影している状態としていない状態とを判別し、前記判別結果に伴って、前記無線機器の動作に変化を与える機能を有することを特徴とするものである。
【００１１】
前記課題を解決するための第６の手段は、前記第５の手段であって、前記無線機器の動作の変化には、電源切断、電源投入、省電力モードへの移行、省電力モードからの復帰、前記無線機器の表示部の映像信号の出力開始、前記無線機器の表示部の映像信号の出力停止、の少なくとも一つが含まれることを特徴とするものである。
【００１２】
前記課題を解決するための第７の手段は、前記第１の手段であって、当該表示装置が有する電力供給源の容量は、前記無線機器が有する電力供給源の容量よりも大容量であることを特徴とするものである。
【発明の効果】
【００１３】
本発明によれば、携帯電話等の無線機器とヘッドマウントディスプレイを組み合わせることにより、無線機器の電池の容量の問題や画面が小さいという問題を解消することができる。
【発明を実施するための最良の形態】
【００１４】
以下、本発明の実施の形態の例を、図を用いて説明する。図１は、本発明の実施の形態の第１の例であるヘッドマウントディスプレイの概要を示す図である。表示装置であるヘッドマウントディスプレイ１は、ヘッドホーンハウジング２、３を有し、これらは弾性のある結合部４で結合されている。一つのヘッドホーンハウジング２には、支持アーム５が取り付けられており、支持アーム５の先端部に、眼に映像を表示する表示部６が取り付けられている。ヘッドマウントディスプレイ１を使用する場合は、ヘッドホーンハウジング２、３で両耳を挟み、結合部４を頭頂部方向に位置させて、支持アーム５及び表示部６の位置調整を行い、表示部６を眼前に位置させて使用する。
【００１５】
このヘッドマウントディスプレイ１は、無線機器である携帯電話７と、ケーブル８を介して接続可能となっており、これらの接続がなされたとき、ヘッドマウントディスプレイ１の電源装置（図示せず）より、携帯電話７に電源が供給されるようになっている。この例の場合、ヘッドホーンハウジング２にコネクタ等の接続部が設けられ、これとケーブル８とが接続されるようになっている。一般に、ヘッドマウントディスプレイ１の大きさは携帯電話７の大きさに比べて大きく、より大きな電源容量を有する電源装置を搭載することができる。よって、ヘッドマウントディスプレイ１から携帯電話７に電源を供給することにより、携帯電話７の電源容量が小さいという問題を解決することができる。
【００１６】
又、ヘッドマウントディスプレイ１と携帯電話７の接続がなされたとき、携帯電話７のＣＰＵは、ヘッドマウントディスプレイ１のＣＰＵと接続されるようになっており、互いのＣＰＵ間で制御信号のやりとりができるようになっている。この機能を使用して、携帯電話７の操作ボタンにより、ヘッドマウントディスプレイ１の制御を行うことが可能になる。ヘッドマウントディスプレイ１は頭部に装着されるため、それに操作ボタンを付けても操作がしにくいが、このように、携帯電話７の操作ボタンによりヘッドマウントディスプレイ１の操作を行うことにより、操作が容易になる。
【００１７】
又、携帯電話７の映像表示部に表示される映像を、同時にヘッドマウントディスプレイ１の表示部６に表示することができる。このようにすると、携帯電話７の映像表示部に表示される映像を、大きく人間の眼に表示することができるので、大容量の情報を有する映像の表示が可能であると共に、携帯電話の表示画面が小さいために表示が判読しづらいという問題点を解決することができる。なお、ヘッドマウントディスプレイ１の表示部６に映像を表示させるときは、携帯電話７に表示される映像をオフにするようにしてもよい。このようにすれば、携帯電話７の電力の消費を少なくすることができる。
【００１８】
一方、テレビ等の映像や音声を携帯電話７で受信し、ヘッドマウントディスプレイ１で観察したり聞いたりするときは、携帯電話７を手で持つ必要が無く、煩わしくなる。よって、携帯電話７をヘッドマウントディスプレイ１に収納可能なようにしてもよい。この例を図２に示す。以下の図において、前出の図に示された構成要素と同じ構成要素には、同じ符号を付してその説明を省略することがある。
【００１９】
支持アーム５や表示部６が取り付けられているヘッドホーンハウジング２と逆側のヘッドホーンハウジング３には、携帯電話７を固定する固定部９が設けられ、この固定部９に携帯電話７を嵌め込んで収納可能とされている。そのとき、接続部１０と携帯電話７の接続部（図示せず）が結合し、ヘッドマウントディスプレイ１と携帯電話７をケーブル８で結合したときと同じ状態となる。このようにすれば、携帯電話７を手に持たないで、テレビ等の映像情報や音声情報を、携帯電話７で無線受信し、それをヘッドマウントディスプレイ１を通して観察したり聞いたりすることができる。
【００２０】
固定部９を、支持アーム５や表示部６が取り付けられているヘッドホーンハウジング２と逆側のヘッドホーンハウジング３側に設けると、ヘッドマウントディスプレイ１における左右の重量のバランスをとるのに都合がよい。又、この例の場合、接続部１０と携帯電話７の接続部を直接結合させているので、携帯性を損なわせる原因の一つであるケーブル８を無くすることができる。
【００２１】
ヘッドマウントディスプレイ１は、眼に映像を表示する状態（図３に破線で示す）と眼に映像を表示しない状態（図３に実線で示す）の異なったモードを有する。眼に映像を表示しないモードにあるときは、携帯電話７からヘッドマウントディスプレイ１に映像信号を送ることは無意味である。よって、ヘッドマウントディスプレイ１に、映像を使用者の眼に投影している状態としていない状態とを区別する検出装置（例えば、支持アーム５が図３の破線の位置にあるのか実線の位置にあるのかを検知するマイクロスイッチ）を有し、その状態に応じて、携帯電話７の動作に変化を与えるようにしてもよい。例えば、映像を使用者の眼に投影していない状態のときには、携帯電話７の電源を切断したり、省電力モードとしたり、ヘッドマウントディスプレイ１への映像出力を停止するモードとすることが考えられる。映像を使用者の眼に投影していない状態から投影する状態に切り替わったときは、携帯電話７の電源を投入したり、省電力モードから復帰したり、ヘッドマウントディスプレイ１に映像を送信するモードとすることにより、使用者は、違和感なく携帯電話７を使用することができる。
【図面の簡単な説明】
【００２２】
【図１】本発明の実施の形態の第１の例であるヘッドマウントディスプレイの概要を示す図である。
【図２】携帯電話をヘッドマウントディスプレイに収納可能なようにした例を示す図である。
【図３】ヘッドマウントディスプレイの使用状態の変化の例を示す図である。
【符号の説明】
【００２３】
１…ヘッドマウントディスプレイ、２…ヘッドホーンハウジング、３…ヘッドホーンハウジング、４…結合部、５…支持アーム、６…表示部、７…携帯電話、８…ケーブル、９…固定部、１０…接続部
【図１】
2008028552.tif 000003
【図２】
2008028552.tif 000004
【図３】
2008028552.tif 000005